【手続補正書】
【提出日】平成18年6月8日(2006.6.8)
【手続補正１】
【補正対象書類名】明細書
【補正対象項目名】特許請求の範囲
【補正方法】変更
【補正の内容】
【特許請求の範囲】
【請求項１】  ウェブサイトで電子商取引を実施するコンピュータシステムにおける方法であって、
前記ウェブサイトにおいてユーザが利用可能な複数の電子商取引コンテクストのうちの１つの選択を前記ユーザから受信することと、
前記電子商取引コンテクストの選択を受信した後に、前記電子商取引の実施を制御し、前記実施された電子商取引に関する情報を収集することと、
前記選択された電子商取引コンテクストに前記実施された電子商取引に関する前記収集された情報を関連付けること
を含むことを特徴とする方法。
【請求項２】  前記複数の電子商取引コンテクストの各々を示す選択ナビゲーション情報を表示することを含むことを特徴とする請求項１記載の方法。
【請求項３】  前記表示された選択ナビゲーション情報に関する単一アクションを実行することによって電子商取引コンテクストが前記ユーザによって選択されることを特徴とする請求項２記載の方法。
【請求項４】  各電子商取引コンテクストは、関連付け電子ショッピングカートを有することを特徴とする請求項１、２又は３に記載の方法。
【請求項５】  電子商取引の前記実施は、購入する品目を選択することを含むことを特徴とする請求項１、２、３又は４に記載の方法。
【請求項６】  前記複数の電子商取引コンテクストの各々は、前記電子商取引コンテクストが選択された間に実施された電子商取引に関係する関連付け情報を有することを特徴とする請求項１、２、３、４又は５に記載の方法。
【請求項７】  前記複数の電子商取引コンテクストの各々を示すビューイング・ナビゲーション情報を表示することを含むことを特徴とする請求項１、２、３、４、５又は６に記載の方法。
【請求項８】  電子商取引コンテクストが前記ビューイング・ナビゲーション情報から選択されると、前記電子商取引コンテクストに関係する情報が表示されることを特徴とする請求項７記載の方法。
【請求項９】  各電子商取引コンテクストについての識別子がユーザにより提供されることを特徴とする請求項１、２、３、４、５、６、７又は８に記載の方法。
【請求項１０】  電子商取引コンテクストは最初に提供されておらず、前記選択を受信する前に前記複数の電子商取引コンテクストを作成することを含むことを特徴とする請求項１、２、３、４、５、６、７、８又は９に記載の方法。
【請求項１１】  前記複数の電子商取引コンテクストを作成するための指示を前記ユーザから受信することを含むことを特徴とする請求項１０に記載の方法。
【請求項１２】  一つの電子商取引コンテクストが最初に提供され、前記選択を受信する前に前記複数の電子商取引コンテクストを作成することを含むことを特徴とする請求項１、２、３、４、５、６、７、８又は９に記載の方法。
【請求項１３】  追加の電子商取引コンテクストを作成するための指示を前記ユーザから受信することを含むことを特徴とする請求項１２に記載の方法。
【請求項１４】  前記ユーザが複数の電子商取引コンテクストの作成を指示する必要がないように、複数の電子商取引コンテクストが最初に提供されることを特徴とする請求項１、２、３、４、５、６、７、８又は９に記載の方法。
【請求項１５】  前記ウェブサイトで実施される前記電子商取引を前記選択された電子商取引コンテクストが特定している範囲に制限することを含み、前記範囲は、前記ウェブサイトで実施するのに利用可能であろう全ての前記電子商取引に満たないことを特徴とする請求項１、２、３、４、５、６、７、８、９、１０、１１、１２、１３又は１４に記載の方法。
【請求項１６】  電子商取引が実施されると、前記範囲は、フィルタを適用することによって特定され、前記フィルタは、前記ウェブサイトで利用可能ウェブページをアクセスするためのユーザリクエストにフィルタをかけることを特徴とする請求項１５に記載の方法。
【請求項１７】  前記制限は、ユーザが特定した基準を満たす品目のみを表示することを含むことを特徴とする請求項１５に記載の方法。
【請求項１８】  前記制限は、ユーザが特定した基準を満たす品目のみの購入を許可することを含むことを特徴とする請求項１５に記載の方法。
【請求項１９】  前記ユーザによって、前記複数の電子商取引コンテクストから、前記選択された電子商取引コンテクストが後で選択されると、前記関連付け情報は、その後の電子商取引の実施に利用可能であることを特徴とする請求項１、２、３、４、５、６、７、８、９、１０、１１、１２、１３、１４、１５、１６、１７又は１８に記載の方法。
【請求項２０】  前記電子商取引は、品目を選択することを含み、前記情報は、先に選択された前記品目の識別を含むことを特徴とする請求項１９に記載の方法。
【請求項２１】  前記現在選択されている電子商取引コンテクストにいる間に先に選択された品目に基づいて、前記ユーザに品目についての提案を提示することを含むことを特徴とする請求項２０に記載の方法。
【請求項２２】  ある電子商取引コンテクストにいる間に前記ユーザによって先に選択された品目に基づいて、他のユーザに品目についての提案を提示することを含むことを特徴とする請求項２０に記載の方法。
【請求項２３】  前記他のユーザは、品目を前記ユーザのためのギフトとして選択することを特徴とする請求項２２に記載の方法。
【請求項２４】  前記電子商取引コンテクストのうち一つにおいて選択された品目のリストを他のユーザに提供することを含むことを特徴とする請求項２２に記載の方法。
【請求項２５】  前記他のユーザは、前記リストにおける前記品目のうち一つを前記ユーザのためのギフトとして購入することを特徴とする請求項２４に記載の方法。
【請求項２６】  前記購入されたギフトは、前記品目が選択された前記電子商取引コンテクストに従って、前記ユーザに発送されることを特徴とする請求項２５に記載の方法。
【請求項２７】  電子商取引が実施されるときに前記ユーザによって接続が確立し、前記ユーザが次に接続を確立するときに前記収集された情報が利用可能になるように、前記収集された情報を持続的に格納することを含むことを特徴とする請求項１９に記載の方法。
【請求項２８】  前記情報は、注文するために選択されたがまだ注文されていない品目を含むことを特徴とする請求項２７に記載の方法。
【請求項２９】  各電子商取引コンテクストは、前記電子商取引コンテクストにいる間に実施された電子商取引に関係する関連付け請求書作成情報を有することを特徴とする請求項１９に記載の方法。
【請求項３０】  各電子商取引コンテクストは、前記電子商取引コンテクストにいる間に実施された電子商取引に関係する関連付け発送情報を有することを特徴とする請求項１９に記載の方法。
【請求項３１】  前記選択を受信することは、前記ユーザに前記複数の電子商取引の各々の指示を送信することを含むことを特徴とする請求項１９に記載の方法。
【請求項３２】  前記送信された指示は、前記指示のうちの一つを選択するために前記ユーザに対して同時に表示されることになることを特徴とする請求項３１に記載の方法。
【請求項３３】  前記選択は、前記ユーザによる単一アクションによって実行されることを特徴とする請求項３２に記載の方法。
【請求項３４】  前記選択は、ポインティングデバイスのクリックによって実行されることを特徴とする請求項３２に記載の方法。
【請求項３５】  電子商取引コンテクストに対する識別子を前記ユーザから受信することを含むことを特徴とする請求項１９に記載の方法。
【請求項３６】  各電子商取引コンテクストは、前記ユーザから受信した前記識別子によって識別されることを特徴とする請求項３５に記載の方法。
【請求項３７】  各電子商取引は、前記ユーザから受信した前記識別子から導出可能であることを特徴とする請求項３６に記載の方法。
【請求項３８】  単一アクションで注文することが可能であり、全ての単一アクションの注文は、前記選択された電子商取引コンテクストに関連することを特徴とする請求項１９に記載の方法。
【請求項３９】  単一アクションの注文のために表示を生成するときに、前記選択された電子商取引コンテクストを識別することを含むことを特徴とする請求項３８に記載の方法。
【請求項４０】  他のユーザが電子商取引コンテクストに関連付けられた情報にアクセスできることが、前記ユーザによって指示されることを特徴とする請求項１９に記載の方法。
【請求項４１】  前記複数の電子商取引コンテクストは、前記ウェブサイトのための電子ショッピングカートを表すことを特徴とする請求項１に記載の方法。
【請求項４２】  ウェブサイトで電子商取引を実施するコンピュータシステムにおいて、
ユーザのための複数の電子商取引コンテクストに関する情報を格納するデータコンポーネントであって、前記情報は、前記電子商取引コンテクストにいる間に前記ウェブサイトで実施された電子商取引に関係する、データコンポーネントと、
前記複数の電子商取引コンテクストの一つの選択をユーザから受信するコンポーネントと、
前記複数の電子商取引コンテクストの前記一つの前記選択を受信した後に、前記ユーザの前記ウェブサイトを介して電子商取引を実施し、前記選択された電子商取引コンテクストに関連して実施された電子商取引に関係する情報を格納するコンポーネント
を備えることを特徴とするコンピュータシステム。
【請求項４３】  前記電子商取引は、品目を選択することを含み、前記情報は、先に選択された前記品目の識別を含むことを特徴とする請求項４２に記載のコンピュータシステム。
【請求項４４】  前記現在選択されている電子商取引コンテクストにいる間に先に選択された品目に基づいて、選択する品目についての提案を生成するコンポーネントを備えることを特徴とする請求項４３に記載のコンピュータシステム。
【請求項４５】  前記生成された提案は、他のユーザに提示されることを特徴とする請求項４４に記載のコンピュータシステム。
【請求項４６】  前記他のユーザによって選択された品目は、前記ユーザのためのギフトであることを特徴とする請求項４５に記載のコンピュータシステム。
【請求項４７】  前記情報を持続的に格納するコンポーネントを含むことを特徴とする請求項４２、４３、４４、４５又は４６に記載のコンピュータシステム。
【請求項４８】  前記情報は、注文するために選択されたがまだ注文されていない品目を含むことを特徴とする請求項４６に記載のコンピュータシステム。
【請求項４９】  各電子商取引コンテクストは、前記電子商取引コンテクストにいる間に実施された電子商取引に関係する関連付け請求書作成情報を有することを特徴とする請求項４２、４３、４４、４５又は４６に記載のコンピュータシステム。
【請求項５０】  各電子商取引コンテクストは、前記電子商取引コンテクストにいる間に実施された電子商取引に関係する関連付け発送情報を有することを特徴とする請求項４２、４３、４４、４５又は４６に記載のコンピュータシステム。
【請求項５１】  選択を受信する前記コンポーネントは、前記複数の電子商取引コンテクストの各々の指示を前記ユーザに送信することを特徴とする請求項４２、４３、４４、４５又は４６に記載のコンピュータシステム。
【請求項５２】  前記送信された指示は、前記指示のうちの一つの選択のために前記ユーザに同時に表示されることになることを特徴とする請求項４７に記載のコンピュータシステム。
【請求項５３】  コンピュータシステムにウェブサイトでの電子商取引を実施させるコンピュータ実行可能命令を記録したコンピュータ読み取り可能な記録媒体において、
前記ウェブサイトでユーザが使用するための複数の電子商取引コンテクストを提供することと、
前記複数の電子商取引コンテクストのうちの一つの選択をユーザから受信することと、
前記複数の電子商取引コンテクストのうちの前記一つの前記選択を受信した後に、前記選択された電子商取引コンテクストにおいて前記ユーザによる電子商取引を実施することと、
前記実施された電子商取引を前記選択された電子商取引コンテクストに関連付けること
を実行させるためのコンピュータ実行可能命令を記録したコンピュータ読み取り可能な記録媒体。
【請求項５４】  前記電子商取引は、品目を選択することを含み、前記コンピュータシステムは、先に選択された前記品目の識別を含む前記選択された電子商取引コンテクストについての情報を維持することを特徴とする請求項５３に記載のコンピュータ読み取り可能な記録媒体。
【請求項５５】  前記現在選択されている電子商取引コンテクストにいる間に先に選択された品目に基づいて、選択する品目についての提案を前記ユーザに提示することを含むことを特徴とする請求項５４に記載のコンピュータ読み取り可能な記録媒体。
【請求項５６】  ある電子商取引コンテクストにいる間に前記ユーザによって先に選択された品目に基づいて、選択する品目についての提案を他のユーザに提示することを含むことを特徴とする請求項５４に記載のコンピュータ読み取り可能な記録媒体。
【請求項５７】  前記他のユーザによって選択された品目は、前記ユーザのためのギフトであることを特徴とする請求項５６に記載のコンピュータ読み取り可能な記録媒体。
【請求項５８】  各電子商取引コンテクストは、電子ショッピングカートを表すことを特徴とする請求項５３に記載のコンピュータ読み取り可能な記録媒体。